(57)【要約】【課題】  番組記録装置がデコード機能を有せず、番組再生装置がエンコード機能を有しない場合であっても、番組のデータの再圧縮を行うことのできる番組記録装置、番組再生装置および番組記録再生システムを提供する。【解決手段】  圧縮制御部２１は、端末記憶部２６内の圧縮率α0で圧縮された番組のデータのうち少なくとも１つを選択する。デコーダ２４は、端末記憶部２６内の選択した番組のデータを解凍する。転送部２５から転送部１５に解凍された番組のデータが転送される。エンコーダ１３は、受信した番組のデータを圧縮率α0よりも高い圧縮率α1で圧縮する。転送部１５から転送部２５に圧縮率α1で圧縮された番組のデータが転送される。記録制御部２３は、受信した圧縮率α1で圧縮された番組のデータで端末記憶部２６内の選択した圧縮率α0で圧縮された番組のデータを置換する。【選択図】        図１
2006101093.tif 000002
【特許請求の範囲】
【請求項１】
デコード機能を有しない番組記録装置であって、
圧縮された番組のデータを記憶するための記憶部と、
放送局から送られる番組のデータを受信するチューナと、
前記受信した番組のデータを第１の圧縮率で圧縮するエンコーダと、
前記圧縮された番組のデータを前記記憶部に保存する記録制御部と、
番組再生装置へ前記圧縮された番組のデータを転送する通信部とを備え、
前記通信部は、既に前記番組再生装置へ転送した第１の圧縮率で圧縮された番組のデータが解凍された番組のデータを前記番組再生装置から受信し、
前記エンコーダは、前記受信した解凍された番組のデータを第１の圧縮率よりも高い圧縮率で圧縮し、
前記記録制御部は、前記第１の圧縮率よりも高い圧縮率で圧縮された番組のデータを前記記憶部に保存し、
前記通信部は、前記第１の圧縮率よりも高い圧縮率で圧縮された番組のデータを前記番組再生装置に転送する、番組記録装置。
【請求項２】
前記番組記録装置は、さらに、
前記番組再生装置へ次回転送する圧縮された番組のデータを保存するための空き容量が前記番組再生装置の記憶部内に存在するか否かを調べ、前記空き容量が存在しない場合には、前記通信部を指示して、前記次回転送する圧縮された番組のデータの容量を前記番組再生装置に通知させる圧縮制御部を備えた、請求項１記載の番組記録装置。
【請求項３】
前記通信部は、前記解凍された番組のデータとともに、前記番組のデータを再圧縮するときの圧縮率の指定を前記番組再生装置から受信し、
前記指定された圧縮率は第１の圧縮率よりも高い圧縮率であり、
前記エンコーダは、前記受信した解凍された番組のデータを前記指定された圧縮率で圧縮し、
前記通信部は、前記指定された圧縮率で圧縮された番組のデータを前記番組再生装置へ転送する、請求項１記載の番組記録装置。
【請求項４】
前記記録制御部は、さらに、既に前記番組再生装置へ転送した第１の圧縮率で圧縮された番組のデータが解凍された番組のデータを前記番組再生装置から受信する場合には、前記既に番組再生装置へ転送した第１の圧縮率で圧縮された番組のデータを前記記憶部から削除する、請求項１記載の番組記録装置。
【請求項５】
前記記録制御部は、さらに、既に前記番組再生装置へ転送した第１の圧縮率で圧縮された番組のデータが解凍された番組のデータを前記番組再生装置から受信する場合には、前記既に前記番組再生装置へ転送した第１の圧縮率で圧縮された番組のデータを前記記憶部から削除せず、
前記通信部は、圧縮率を第１の圧縮率にもどす番組のデータの選択指示を前記番組再生装置から受信し、前記選択指示された番組のデータが第１の圧縮率で圧縮された番組のデータを前記記憶部から読出して前記番組再生装置に転送する、請求項１記載の番組記録装置。
【請求項６】
エンコード機能を有しない番組再生装置であって、
圧縮された番組のデータを記憶するための記憶部と、
番組記録装置から圧縮された番組のデータを受信する通信部と、
前記受信した圧縮された番組のデータを前記記憶部に保存する記録制御部と、
前記記憶部内の第１の圧縮率で圧縮された番組のデータのうち、再圧縮するものを少なくとも１つ選択する圧縮制御部と、
前記記憶部内の前記選択した第１の圧縮率で圧縮された番組のデータを解凍するデコーダとを備え、
前記通信部は、前記解凍された番組のデータを前記番組記録装置に転送し、前記解凍された番組のデータが前記第１の圧縮率よりも高い圧縮率で再圧縮された番組のデータを前記番組記録装置から受信し、
前記記録制御部は、前記受信した第１の圧縮率よりも高い圧縮率で再圧縮された番組のデータで前記記憶部内の前記選択した第１の圧縮率で圧縮された番組のデータを置き換える、番組再生装置。
【請求項７】
前記圧縮制御部は、前記記憶部内に所望の空き容量が存在しないときに、前記所望の空き容量を確保できるように、前記記憶部内の前記第１の圧縮率で圧縮された番組のデータのうち、再圧縮するものを少なくとも１つ選択するとともに、前記選択した番組のデータを再圧縮するときの圧縮率を第１の圧縮率よりも高い圧縮率で指定し、
前記通信部は、前記解凍された番組のデータとともに、前記指定した圧縮率を前記番組記録装置に転送し、前記解凍された番組のデータが前記指定した圧縮率で圧縮された番組のデータを前記番組記録装置から受信し、
前記記録制御部は、前記受信した指定した圧縮率で再圧縮された番組のデータで前記記憶部内の前記選択した第１の圧縮率で圧縮された番組のデータを置き換える、請求項６記載の番組再生装置。
【請求項８】
前記通信部は、番組記録装置から次回転送される圧縮された番組のデータの容量を受信し、
前記圧縮制御部は、前記通知された次回転送される圧縮された番組のデータの容量分の空き容量が前記記憶部内に存在しないときに、前記空き容量を確保できるように、前記記憶部内の第１の圧縮率で圧縮された番組のデータのうち、再圧縮するものを少なくとも１つ選択するとともに、前記選択した番組のデータを再圧縮するときの圧縮率を第１の圧縮率よりも高い圧縮率で指定し、
前記通信部は、前記解凍された番組のデータとともに、前記指定した圧縮率を前記番組記録装置に転送し、前記解凍された番組のデータが前記指定した圧縮率で圧縮された番組のデータを前記番組記録装置から受信し、
前記記録制御部は、前記受信した指定した圧縮率で再圧縮された番組のデータで前記記憶部内の前記選択した第１の圧縮率で圧縮された番組のデータを置き換える、請求項６記載の番組再生装置。
【請求項９】
前記圧縮制御部は、前記選択する少なくとも１つの第１の圧縮率で圧縮された番組のデータとして前記番組再生装置において視聴済みの番組のデータを優先する、請求項６記載の番組再生装置。
【請求項１０】
前記圧縮制御部は、前記記憶部内の空き容量に基づいて、前記記憶部内の第１の圧縮率よりも高い圧縮率で圧縮された番組のデータのうち、圧縮率を第１の圧縮率にもどす番組のデータを少なくとも１つ選択し、
前記通信部は、前記選択した番組のデータを前記番組記録装置に通知し、前記第１の圧縮率で圧縮された番組のデータを前記番組記録装置から受信し、
前記記録制御部は、前記受信した第１の圧縮率で圧縮された番組のデータで前記記憶部内の前記選択した第１の圧縮率よりも高い圧縮率で圧縮された番組のデータを置き換える、請求項６記載の番組再生装置。
【請求項１１】
前記圧縮制御部は、前記選択する少なくとも１つの圧縮率を第１の圧縮率にもどす番組のデータとして前記番組再生装置において未視聴の番組のデータを優先する、請求項１０記載の番組再生装置。
【請求項１２】
デコード機能を有しない番組記録装置と、エンコード機能を有しない番組再生装置とからなる番組記録再生システムであって、
前記番組記録装置は、
圧縮された番組のデータを記憶するための第１の記憶部と、
放送局から送られる番組のデータを受信するチューナと、
前記受信した番組のデータを第１の圧縮率で圧縮するエンコーダと、
前記圧縮された番組のデータを前記第１の記憶部に保存する第１の記録制御部と、
前記番組再生装置へ前記圧縮された番組のデータを転送する第１の通信部とを備え、
前記第１の通信部は、既に前記番組再生装置へ転送した第１の圧縮率で圧縮された番組のデータが解凍された番組のデータを前記番組再生装置から受信し、
前記エンコーダは、前記受信した解凍された番組のデータを第１の圧縮率よりも高い圧縮率で圧縮し、
前記第１の記録制御部は、前記第１の圧縮率よりも高い圧縮率で圧縮された番組のデータを前記第１の記憶部に保存し、
前記第１の通信部は、前記第１の圧縮率よりも高い圧縮率で圧縮された番組のデータを前記番組再生装置に転送し、
前記番組再生装置は、
圧縮された番組のデータを記憶するための第２の記憶部と、
前記番組記録装置から圧縮された番組のデータを受信する第２の通信部と、
前記受信した圧縮された番組のデータを前記第２の記憶部に保存する第２の記録制御部と、
前記第２の記憶部内の第１の圧縮率で圧縮された番組のデータのうち、再圧縮するものを少なくとも１つ選択する第１の圧縮制御部と、
前記第２の記憶部内の前記選択した第１の圧縮率で圧縮された番組のデータを解凍するデコーダとを備え、
前記第２の通信部は、前記解凍された番組のデータを前記番組記録装置に転送し、前記解凍された番組のデータが前記第１の圧縮率よりも高い圧縮率で再圧縮された番組のデータを前記番組記録装置から受信し、
前記第２の記録制御部は、前記受信した第１の圧縮率よりも高い圧縮率で再圧縮された番組のデータで前記第２の記憶部内の前記選択した第１の圧縮率で圧縮された番組のデータを置き換える、番組記録再生システム。
【発明の詳細な説明】
【技術分野】
【０００１】
本発明は、番組記録装置、番組再生装置および番組記録再生システム関し、特に、受信した番組のデータを圧縮して記憶し、記憶されている番組のデータを再生時に解凍する番組記録装置、番組再生装置、および番組記録再生システムに関する。
【背景技術】
【０００２】
近年、放送局から送られている番組のデータを圧縮して記憶し、再生時に記憶されている番組のデータの解凍を行なう番組記録再生装置が実用に供せられている。
【０００３】
このような放送番組記録再生装置において、受信し圧縮して蓄積した番組のデータを再圧縮する方法が、たとえば特許文献１に記載されている。
【０００４】
すなわち、蓄積された記録容量が所定の容量値以上である場合、または記録日時から所定の時間（日時）が経過している場合には、再圧縮可能と判断して、再圧縮可能なデータがデコードされ、最初に記録したときよりも高い圧縮率でエンコードされる。
【０００５】
このような再圧縮により、蓄積された記憶容量を少なくすることができる。
【特許文献１】特開２００３−１８９２４３号公報
【発明の開示】
【発明が解決しようとする課題】
【０００６】
ところで、家庭に設置された番組記録装置と、持ち運び可能な番組再生装置とからなる番組記録再生システムのような、番組記録装置と番組再生装置とがそれぞれが独立して動作するような形態が考えられる。
【０００７】
このような番組記録再生システムでは、番組記録装置で番組のデータを受信し、エンコーダで圧縮して記憶する。そして、圧縮された番組のデータが番組記録装置から番組再生装置に転送されて記憶される。番組再生装置では、デコーダで圧縮された番組のデータを解凍して表示する。
【０００８】
このような番組記録再生システムでは、番組記録装置はデコード機能を有せず、また番組再生装置はエンコード機能を有せず、したがって、番組のデータの再圧縮を行なうのは難しくなる。また、持ち運び可能な番組再生装置の記憶装置の容量は限られているため、番組再生装置において記憶されている番組のデータの再圧縮の必要性は高い。
【０００９】
それゆえに、本発明の目的は、番組記録装置がデコード機能を有せず、番組再生装置がエンコード機能を有しない場合であっても、番組のデータの再圧縮を行なうことのできる番組記録装置、番組再生装置および番組記録再生システムを提供することである。
【課題を解決するための手段】
【００１０】
上記課題を解決するために、本発明の番組記録装置は、デコード機能を有しない番組記録装置であって、圧縮された番組のデータを記憶するための記憶部と、放送局から送られる番組のデータを受信するチューナと、受信した番組のデータを第１の圧縮率で圧縮するエンコーダと、圧縮された番組のデータを記憶部に保存する記録制御部と、番組再生装置へ圧縮された番組のデータを転送する通信部とを備え、通信部は、既に番組再生装置へ転送した第１の圧縮率で圧縮された番組のデータが解凍された番組のデータを番組再生装置から受信し、エンコーダは、受信した解凍された番組のデータを第１の圧縮率よりも高い圧縮率で圧縮し、記録制御部は、第１の圧縮率よりも高い圧縮率で圧縮された番組のデータを記憶部に保存し、通信部は、第１の圧縮率よりも高い圧縮率で圧縮された番組のデータを番組再生装置に転送する。
【００１１】
好ましくは、番組記録装置は、さらに、番組再生装置へ次回転送する圧縮された番組のデータを保存するための空き容量が番組再生装置の記憶部内に存在するか否かを調べ、空き容量が存在しない場合には、通信部を指示して、次回転送する圧縮された番組のデータの容量を番組再生装置に通知させる圧縮制御部を備える。
【００１２】
好ましくは、通信部は、解凍された番組のデータとともに、番組のデータを再圧縮するときの圧縮率の指定を番組再生装置から受信し、指定された圧縮率は第１の圧縮率よりも高い圧縮率であり、エンコーダは、受信した解凍された番組のデータを指定された圧縮率で圧縮し、通信部は、指定された圧縮率で圧縮された番組のデータを番組再生装置へ転送する。
【００１３】
好ましくは、記録制御部は、さらに、既に番組再生装置へ転送した第１の圧縮率で圧縮された番組のデータが解凍された番組のデータを番組再生装置から受信する場合には、既に番組再生装置へ転送した第１の圧縮率で圧縮された番組のデータを記憶部から削除する。
【００１４】
好ましくは、記録制御部は、さらに、既に番組再生装置へ転送した第１の圧縮率で圧縮された番組のデータが解凍された番組のデータを番組再生装置から受信する場合には、既に番組再生装置へ転送した第１の圧縮率で圧縮された番組のデータを記憶部から削除せず、通信部は、圧縮率を第１の圧縮率にもどす番組のデータの選択指示を番組再生装置から受信し、選択指示された番組のデータが第１の圧縮率で圧縮された番組のデータを記憶部から読出して番組再生装置に転送する。
【００１５】
また、本発明の番組再生装置は、エンコード機能を有しない番組再生装置であって、圧縮された番組のデータを記憶するための記憶部と、番組記録装置から圧縮された番組のデータを受信する通信部と、受信した圧縮された番組のデータを記憶部に保存する記録制御部と、記憶部内の第１の圧縮率で圧縮された番組のデータのうち、再圧縮するものを少なくとも１つ選択する圧縮制御部と、記憶部内の選択した第１の圧縮率で圧縮された番組のデータを解凍するデコーダとを備え、通信部は、解凍された番組のデータを番組記録装置に転送し、解凍された番組のデータが第１の圧縮率よりも高い圧縮率で再圧縮された番組のデータを番組記録装置から受信し、記録制御部は、受信した第１の圧縮率よりも高い圧縮率で再圧縮された番組のデータで記憶部内の選択した第１の圧縮率で圧縮された番組のデータを置き換える。
【００１６】
好ましくは、圧縮制御部は、記憶部内に所望の空き容量が存在しないときに、所望の空き容量を確保できるように、記憶部内の第１の圧縮率で圧縮された番組のデータのうち、再圧縮するものを少なくとも１つ選択するとともに、選択した番組のデータを再圧縮するときの圧縮率を第１の圧縮率よりも高い圧縮率で指定し、通信部は、解凍された番組のデータとともに、指定した圧縮率を番組記録装置に転送し、解凍された番組のデータが指定した圧縮率で圧縮された番組のデータを番組記録装置から受信し、記録制御部は、受信した指定した圧縮率で再圧縮された番組のデータで記憶部内の選択した第１の圧縮率で圧縮された番組のデータを置き換える。
【００１７】
好ましくは、通信部は、番組記録装置から次回転送される圧縮された番組のデータの容量を受信し、圧縮制御部は、通知された次回転送される圧縮された番組のデータの容量分の空き容量が記憶部内に存在しないときに、空き容量を確保できるように、記憶部内の第１の圧縮率で圧縮された番組のデータのうち、再圧縮するものを少なくとも１つ選択するとともに、選択した番組のデータを再圧縮するときの圧縮率を第１の圧縮率よりも高い圧縮率で指定し、通信部は、解凍された番組のデータとともに、指定した圧縮率を番組記録装置に転送し、解凍された番組のデータが指定した圧縮率で圧縮された番組のデータを番組記録装置から受信し、記録制御部は、受信した指定した圧縮率で再圧縮された番組のデータで記憶部内の選択した第１の圧縮率で圧縮された番組のデータを置き換える。
【００１８】
好ましくは、圧縮制御部は、選択する少なくとも１つの第１の圧縮率で圧縮された番組のデータとして番組再生装置において視聴済みの番組のデータを優先する。
【００１９】
好ましくは、圧縮制御部は、記憶部内の空き容量に基づいて、記憶部内の第１の圧縮率よりも高い圧縮率で圧縮された番組のデータのうち、圧縮率を第１の圧縮率にもどす番組のデータを少なくとも１つ選択し、通信部は、選択した番組のデータを番組記録装置に通知し、第１の圧縮率で圧縮された番組のデータを番組記録装置から受信し、記録制御部は、受信した第１の圧縮率で圧縮された番組のデータで記憶部内の選択した第１の圧縮率よりも高い圧縮率で圧縮された番組のデータを置き換える。
【００２０】
好ましくは、圧縮制御部は、選択する少なくとも１つの圧縮率を第１の圧縮率にもどす番組のデータとして番組再生装置において未視聴の番組のデータを優先する。
【００２１】
また、本発明の番組記録再生システムは、デコード機能を有しない番組記録装置と、エンコード機能を有しない番組再生装置とからなる番組記録再生システムであって、番組記録装置は、圧縮された番組のデータを記憶するための第１の記憶部と、放送局から送られる番組のデータを受信するチューナと、受信した番組のデータを第１の圧縮率で圧縮するエンコーダと、圧縮された番組のデータを第１の記憶部に保存する第１の記録制御部と、番組再生装置へ圧縮された番組のデータを転送する第１の通信部とを備え、第１の通信部は、既に番組再生装置へ転送した第１の圧縮率で圧縮された番組のデータが解凍された番組のデータを番組再生装置から受信し、エンコーダは、受信した解凍された番組のデータを第１の圧縮率よりも高い圧縮率で圧縮し、第１の記録制御部は、第１の圧縮率よりも高い圧縮率で圧縮された番組のデータを第１の記憶部に保存し、第１の通信部は、第１の圧縮率よりも高い圧縮率で圧縮された番組のデータを番組再生装置に転送し、番組再生装置は、圧縮された番組のデータを記憶するための第２の記憶部と、番組記録装置から圧縮された番組のデータを受信する第２の通信部と、受信した圧縮された番組のデータを第２の記憶部に保存する第２の記録制御部と、第２の記憶部内の第１の圧縮率で圧縮された番組のデータのうち、再圧縮するものを少なくとも１つ選択する第１の圧縮制御部と、第２の記憶部内の選択した第１の圧縮率で圧縮された番組のデータを解凍するデコーダとを備え、第２の通信部は、解凍された番組のデータを番組記録装置に転送し、解凍された番組のデータが第１の圧縮率よりも高い圧縮率で再圧縮された番組のデータを番組記録装置から受信し、第２の記録制御部は、受信した第１の圧縮率よりも高い圧縮率で再圧縮された番組のデータで第２の記憶部内の選択した第１の圧縮率で圧縮された番組のデータを置き換える。
【発明の効果】
【００２２】
本発明によれば、番組記録装置がデコード機能を有せず、番組再生装置がエンコード機能を有しない場合であっても、番組のデータの再圧縮を行なうことができる。
【発明を実施するための最良の形態】
【００２３】
以下、本発明の実施の形態について、図面を用いて説明する。
【００２４】
［第１の実施形態］
第１の実施形態は、圧縮された番組のデータを番組再生装置のデコーダで解凍し、解凍後の番組のデータを番組記録装置に送信し、番組記録装置のエンコーダで解凍後の番組のデータを再圧縮し、番組再生装置に送信する番組記録再生システムに関する。
【００２５】
（番組記録再生システムの構成）
図１は、番組記録再生システムの構成を示す図である。
【００２６】
図１を参照して、番組記録再生システムは、番組記録装置１０と番組再生装置２０とからなる。
【００２７】
番組記録装置１０は、圧縮制御部１１と、チューナ１２と、エンコーダ１３と、記録制御部１４と、本体記憶部１６と、転送部１５とを備える。
【００２８】
圧縮制御部１１は、番組記録装置１０の圧縮処理全体を制御する。
【００２９】
チューナ１２は、放送局から送信されたアナログ形式の映像および音声データからなる番組のデータを受信する。
【００３０】
エンコーダ１３は、番組のデータを圧縮率α0、α1、α２、・・・、αNのうちのいずれかで圧縮する。圧縮率は、α0、α1、α2、・・・、αNの順に高くなる。圧縮率は、圧縮後のデータ量／圧縮前のデータ量で表される。圧縮率が高い場合には、圧縮後のデータ量が小さくなる。エンコーダ１３は、チューナ１２で受信したアナログ形式の番組のデータをデジタル方式のＭＰＥＧのデータに圧縮する。このときの圧縮率はα0である。また、エンコーダ１３は、番組再生装置２０から受信した各番組に指定されている新たな圧縮率で、番組再生装置２０から受信した各番組のデータを再圧縮する。このときの圧縮率はα1、α2、・・・、αNのうちのいずれかである。
【００３１】
本体記憶部１６は、エンコーダ１３によって圧縮された番組のデータを記憶する。
【００３２】
記録制御部１４は、番組再生装置２０から再圧縮するように通知を受けた１個以上の番組のデータ（再圧縮前のデータ）を本体記憶部１６から削除する。記録制御部１４は、再圧縮された番組のデータ（再圧縮後のデータ）を本体記憶部１６に保存する。
【００３３】
転送部１５は、チューナ１２で受信し、エンコーダ１３で圧縮率α0で圧縮された番組のデータを番組再生装置２０に転送する。また、転送部１５は、再圧縮する１個以上の番組と各再圧縮する番組の新たな圧縮率の通知を受ける。また、転送部１５は、解凍された１個以上の番組のデータを受信する。また、転送部１５は、再圧縮された番組のデータを番組再生装置２０に転送する。
【００３４】
番組再生装置２０は、圧縮制御部２１と、操作入力部２２と、記録制御部２３と、端末記憶部２６と、デコーダ２４と、転送部２５とを備える。
【００３５】
操作入力部２２は、ユーザから端末記憶部２６にデータが記憶されている番組のうち再圧縮する１個以上の番組と、再圧縮する各番組の新たな圧縮率の指定を受付ける。
【００３６】
圧縮制御部２１は、番組再生装置２０の圧縮処理全体を制御する。圧縮制御部２１は、ユーザから指定された指定を受けた再圧縮する１個以上の番組と、再圧縮する各番組の新たな圧縮率を転送部２５に送る。
【００３７】
端末記憶部２６は、番組記録装置１０から転送された圧縮された番組のデータを記憶する。
【００３８】
記録制御部２３は、再圧縮する１個以上の番組のデータを端末記憶部２６から削除する。また、記録制御部２３は、再圧縮された番組のデータを端末記憶部２６に保存する。
【００３９】
デコーダ２４は、再圧縮する１個以上の番組のデータを端末記憶部２６から読出して解凍する。
【００４０】
転送部２５は、ユーザから指定を受けた再圧縮する１個以上の番組と、再圧縮する各番組の新たな圧縮率を番組記録装置１０に通知する。また、転送部２５は、解凍された１個以上の番組のデータを番組記録装置１０に転送する。また、転送部２５は、再圧縮された番組のデータを受信する。
【００４１】
（再圧縮処理の概要）
図２は、第１の実施形態の再圧縮処理の概要を表す図である。
【００４２】
図２（ａ）は、再圧縮処理の開始前の番組記録装置１０の状態を表し、図２（ｂ）は、再圧縮処理の開始前の番組再生装置２０の状態を表す。
【００４３】
これらの図に示すように、番組記録装置１０および番組再生装置２０には、圧縮率α0で圧縮された番組のデータＡと圧縮率α0で圧縮された番組のデータＢとが保存されている。
【００４４】
図２（ｃ）は、再圧縮する番組のデータの通知時の番組記録装置１０の状態を表し、図２（ｄ）は、再圧縮する番組のデータの通知時の番組再生装置２０の状態を表す。
【００４５】
これらの図に示すように、番組再生装置２０は、圧縮された番組のデータＡの再圧縮と新たな圧縮率α1を番組記録装置１０に通知する。番組記録装置１０は、この通知を受けると、圧縮された番組のデータＡを削除する。
【００４６】
図２（ｅ）は、番組のデータの解凍および再圧縮時の番組記録装置１０の状態を表し、図２（ｆ）は、番組のデータの解凍および再圧縮時の番組再生装置２０の状態を表す。
【００４７】
これらの図に示すように、番組再生装置２０は、圧縮された番組のデータＡをデコードし、解凍されたデータを番組記録装置１０に転送する。番組再生装置２０は、圧縮された番組のデータＡを削除する。番組記録装置１０は、解凍されたデータを受信し、このデータを圧縮率α1で再圧縮し、再圧縮された番組のデータＡ′を保存するとともに番組記録装置１０に転送する。番組記録装置１０は、再圧縮された番組のデータＡ′を受信し、保存する。
【００４８】
図２（ｇ）は、再圧縮処理の終了後の番組記録装置１０の状態を表し、図２（ｈ）は、再圧縮処理の終了後の番組再生装置２０の状態を表す。
【００４９】
これらの図に示すように、番組記録装置１０および番組再生装置２０には、再圧縮された番組のデータＡ′と、圧縮された番組のデータＢとが保存されている。
【００５０】
（再圧縮処理の動作）
図３は、第１の実施形態に係る番組記録再生システムによる再圧縮処理の動作手順を表わすフローチャートである。
【００５１】
まず、番組再生装置２０の操作入力部２２は、ユーザから端末記憶部２６にデータが記憶されている番組のうち再圧縮する１個以上の番組と、再圧縮する各番組の新たな圧縮率の指定を受付ける。この新たな圧縮率はその番組のデータの現状の圧縮率よりも高い圧縮率である。番組再生装置２０の圧縮制御部２１は、ユーザから指定された指定を受けた再圧縮する１個以上の番組と、再圧縮する各番組の新たな圧縮率を転送部２５に送る（ステップＳ１０１）。
【００５２】
番組再生装置２０の転送部２５は、ユーザから指定を受けた再圧縮する１個以上の番組と、再圧縮する各番組の新たな圧縮率を番組記録装置１０に通知する（ステップＳ１０２）。
【００５３】
番組記録装置１０の転送部１５は、再圧縮する１個以上の番組と各再圧縮する番組の新たな圧縮率の通知を受ける。番組記録装置１０の記録制御部１４は、通知を受けた再圧縮する１個以上の番組のデータを本体記憶部１６から削除する（ステップＳ１０３）。
【００５４】
次に、番組再生装置２０のデコーダ２４は、再圧縮する１個以上の番組のデータを端末記憶部２６から読出して解凍する。番組再生装置２０の転送部２５は、解凍された１個以上の番組のデータを番組記録装置１０に転送する（ステップＳ１０４）。
【００５５】
番組再生装置２０の記憶制御部は、再圧縮する１個以上の番組のデータを端末記憶部２６から削除する（ステップＳ１０５）。
【００５６】
番組記録装置１０の転送部１５は、解凍された１個以上の番組のデータを受信する。番組記録装置１０のエンコーダ１３は、ステップＳ１０２で受信した各番組に指定されている新たな圧縮率で各番組のデータを再圧縮する。番組記録装置１０の記録制御部１４は、再圧縮された番組のデータを本体記憶部１６に保存する。番組記録装置１０の転送部１５は、再圧縮された番組のデータを番組再生装置２０に転送する（ステップＳ１０６）。
【００５７】
番組再生装置２０の転送部２５は、再圧縮された番組のデータを受信する。番組再生装置２０の記録制御部２３は、再圧縮された番組のデータを端末記憶部２６に保存する（ステップＳ１０７）。
【００５８】
以上のように、第１の実施形態に係る番組記録再生システムによれば、番組記録装置１０がデコード機能を有せず、番組再生装置２０がエンコード機能を有しない場合であっても、番組のデータの再圧縮を行なうことができる。
【００５９】
［第２の実施形態］
第２の実施形態は、ユーザが携帯端末内の記憶部の所望する空き容量を指定した場合に、その空き容量を確保するために、再圧縮する番組のデータを選択して、選択された番組のデータを番組再生装置２０のデコーダ２４で解凍し、解凍後の番組のデータを番組記録装置１０に送信し、番組記録装置１０のエンコーダ１３で解凍後の番組のデータを再圧縮し、番組再生装置２０に送信する番組記録再生システムに関する。
【００６０】
（番組記録再生システムの構成）
第２の実施形態に係る番組記録再生システムの構成要素のうち、第１の実施形態に係る番組記録再生システムと相違する点について説明する。
【００６１】
まず、番組再生装置２０の操作入力部２２は、ユーザから端末記憶部２６の所望の空き容量ＥＳＵの指定を受付ける。
【００６２】
番組再生装置２０の圧縮制御部２１は、端末記憶部２６の現在の空き容量ＥＳ０が、ユーザが指定した空き容量ＥＳＵ以上のときには、再圧縮を行なわない。
【００６３】
番組再生装置２０の圧縮制御部２１は、端末記憶部２６の現在の空き容量ＥＳ０が、ユーザが指定した空き容量ＥＳＵ未満のときには、所望の空き容量を確保できるように、端末記憶部２６内の圧縮率α0で圧縮された番組のデータのうち、再圧縮するものを少なくとも１つ選択するとともに、選択した番組のデータを再圧縮するときの圧縮率をα1、α2、・・・、αNのいずれかに指定する。
【００６４】
（再圧縮処理の動作）
図４は、第２の実施形態に係る番組記録再生システムによる再圧縮処理の動作手順を表わすフローチャートである。
【００６５】
まず、番組再生装置２０の操作入力部２２は、ユーザから端末記憶部２６の所望の空き容量ＥＳＵの指定を受付ける（ステップＳ２０１）。
【００６６】
番組再生装置２０の圧縮制御部２１は、端末記憶部２６の現在の空き容量ＥＳ０が、ユーザが指定した空き容量ＥＳＵ以上のときには（ステップＳ２０２でＮＯ）、再圧縮を行なわない。
【００６７】
番組再生装置２０の圧縮制御部２１は、端末記憶部２６の現在の空き容量ＥＳ０が、ユーザが指定した空き容量ＥＳＵ未満のときには（ステップＳ２０２でＹＥＳ）、以下のステップＳ２０３〜Ｓ２１４によって再圧縮を行なわせる。
【００６８】
番組再生装置２０の圧縮制御部２１は、圧縮率制御変数ｎを１とする（ステップＳ２０３）。
【００６９】
番組再生装置２０の圧縮制御部２１は、端末記憶部２６にデータが保存されている番組のうち、すべての番組に圧縮率αnが指定されているかどうかを調べる（ステップＳ２０４）。
【００７０】
番組再生装置２０の圧縮制御部２１は、すべての番組に圧縮率αnが指定されているときには（ステップＳ２０４でＮＯ）、圧縮制御変数ｎを１だけインクリメントして（ステップＳ２０５）、ステップＳ２０４に戻る。
【００７１】
番組再生装置２０の圧縮制御部２１は、圧縮率αnが指定されていない番組があるときには（ステップＳ２０４でＹＥＳ）、それらの番組の中から１個の番組を選択して、その番組に新たな圧縮率αnを指定する。選択に際しては、それらの番組の中に視聴済みの番組があればそれを選択し、視聴済みの番組がなければ未視聴の番組を選択する（ステップＳ２０６）。
【００７２】
番組再生装置２０の圧縮制御部２１は、再圧縮した場合、すなわち新たな圧縮率が指定された各番組のデータをそれに指定された圧縮率で再圧縮し、再圧縮された番組のデータを圧縮率α0で圧縮されて端末記憶部２６に保存されている再圧縮前の番組のデータと置換えた場合の端末記憶部２６の空き容量ＥＳ１を算出する。
【００７３】
つまり、空き容量ＥＳ１は、｛ＥＳ０＋新たな圧縮率が指定されたすべての番組の記録時間分の非圧縮時のデータ量×α0−Σ新たな圧縮率が指定された各番組の記録時間分の非圧縮時のデータ量×当該番組に指定された新たな圧縮率｝で算出される。ここで、番組に指定された新たな圧縮率とは、α1、α2、・・・、αnのいずれかである（ステップＳ２０７）。
【００７４】
番組再生装置２０の圧縮制御部２１は、再圧縮した場合の端末記憶部２６の空き容量ＥＳ１がユーザが指定した空き容量ＥＳＵ未満のときには（ステップＳ２０８でＮＯ）、ステップＳ２０４に戻る。
【００７５】
番組再生装置２０の圧縮制御部２１は、再圧縮した場合の端末記憶部２６の空き容量ＥＳがユーザが指定した空き容量ＥＳＵ以上のときには（ステップＳ２０８でＹＥＳ）、転送部２５に再圧縮する１個以上の番組と各再圧縮する番組の新たな圧縮率を番組記録装置１０に通知させる（ステップＳ２０９）。
【００７６】
次に、番組記録装置１０の転送部１５は、再圧縮する１個以上の番組と各再圧縮する番組の新たな圧縮率の通知を受ける。番組記録装置１０の記録制御部１４は、再圧縮する番組のデータを本体記憶部１６から削除する（ステップＳ２１０）。
【００７７】
次に、番組再生装置２０のデコーダ２４は、再圧縮する１個以上の番組のデータを端末記憶部２６から読出して解凍する。番組再生装置２０の転送部２５は、解凍された１個以上の番組のデータを番組記録装置１０に転送する（ステップＳ２１１）。
【００７８】
番組再生装置２０の記録制御部２３は、再圧縮する１個以上の番組のデータを端末記憶部２６から削除する（ステップＳ２１２）。
【００７９】
番組記録装置１０の転送部１５は、解凍された１個以上の番組のデータを受信する。番組記録装置１０のエンコーダ１３は、ステップＳ１１１で受信した各番組に指定されている圧縮率で各番組のデータを再圧縮する。番組記録装置１０の記録制御部１４は、再圧縮された番組のデータを本体記憶部１６に保存する。番組記録装置１０の転送部１５は、再圧縮された番組のデータを番組再生装置２０に転送する（ステップＳ２１３）。
【００８０】
番組再生装置２０の転送部２５は、再圧縮された番組のデータを受信する。番組再生装置２０の記録制御部２３は、再圧縮された番組のデータを端末記憶部２６に保存する（ステップＳ２１４）。
【００８１】
以上のように、第２の実施形態に係る番組記録再生システムによれば、番組記録装置１０がデコード機能を有せず、番組再生装置２０がエンコード機能を有しない場合であっても、番組のデータの再圧縮を行い、ユーザが所望するだけの空き容量を確保できる。
【００８２】
［第３の実施形態］
第３の実施形態は、番組記録装置１０から番組再生装置２０へ転送する番組のデータを保存するための携帯端末内の記憶部の空き容量を確保することを目的に、転送前に、再圧縮する番組のデータを選択して、選択された番組のデータを番組再生装置２０のデコーダ２４で解凍し、解凍後の番組のデータを番組記録装置１０に送信し、番組記録装置１０のエンコーダ１３で解凍後の番組のデータを再圧縮し、番組再生装置２０に送信する番組記録再生システムに関する。
【００８３】
（番組記録再生システムの構成）
第３の実施形態に係る番組記録再生システムの構成要素のうち、第１の実施形態に係る番組記録再生システムと相違する点について説明する。
【００８４】
番組記録装置１０の圧縮制御部１１は、次に転送する番組群ＰＧの記録時間の総計を算出する。番組記録装置１０の圧縮制御部１１は、圧縮率α0と記録時間の総計分の非圧縮時時のデータ量とを乗算して、番組群ＰＧのデータサイズＰＳを算出する。番組記録装置１０の圧縮制御部１１は、番組再生装置２０の端末記憶部２６の現在の空き容量ＥＳ０が、番組群ＰＧのデータサイズＰＳ未満のときには、番組記録装置１０の転送部１５を指示して、番組群ＰＧのデータサイズＰＳとともに再圧縮要求を番組再生装置２０に送信する。
【００８５】
番組再生装置２０の転送部２５は、番組群ＰＧのデータサイズとともに再圧縮要求を受信する。
【００８６】
番組再生装置２０の圧縮制御部２１は、番組記録装置１０から次回転送される圧縮された番組のデータを保存するための空き容量が端末記憶部２６内に存在しないときに、空き容量を確保できるように、端末記憶部２６内の圧縮率α0で圧縮された番組のデータのうち、再圧縮するものを少なくとも１つ選択するとともに、選択した番組のデータを再圧縮するときの圧縮率をα1、α2、・・・、αNのいずれかに指定する。
【００８７】
（再圧縮処理の概要）
図５は、第３の実施形態の再圧縮処理の概要を表す図である。
【００８８】
図５（ａ）は、再圧縮処理の開始前の番組記録装置１０の状態を表し、図５（ｂ）は、再圧縮処理の開始前に番組再生装置２０の状態を表す。
【００８９】
これらの図に示すように、番組記録装置１０および番組再生装置２０には、圧縮率α0で圧縮された番組のデータＡと圧縮率α0で圧縮された番組のデータＢとが保存されている。また、番組記録装置１０には、圧縮率α0で圧縮された番組のデータＣが保存されているが、これは、まだ番組再生装置２０へは転送されていない。
【００９０】
図５（ｃ）は、再圧縮する番組のデータの通知時の番組記録装置１０の状態を表し、図５（ｄ）は、再圧縮する番組のデータの通知時の番組再生装置２０の状態を表す。
【００９１】
これらの図に示すように、番組再生装置２０は、圧縮された番組のデータＡの再圧縮と新たな圧縮率α1を番組記録装置１０に通知する。番組記録装置１０は、この通知を受けると、圧縮された番組のデータＡを削除する。
【００９２】
図５（ｅ）は、番組のデータの解凍および再圧縮時の番組記録装置１０の状態を表し、図５（ｆ）は、番組のデータの解凍および再圧縮時の番組再生装置２０の状態を表す。
【００９３】
これらの図に示すように、番組再生装置２０は、圧縮された番組のデータＡをデコードし、解凍されたデータを番組記録装置１０に転送する。番組再生装置２０は、圧縮された番組のデータＡを削除する。番組記録装置１０は、解凍されたデータを受信し、このデータを圧縮率α1で再圧縮し、再圧縮された番組のデータＡ′を保存するとともに番組記録装置１０に転送する。番組記録装置１０は、再圧縮された番組のデータＡ′を受信し、保存する。
【００９４】
図５（ｇ）は、再圧縮処理の終了後の番組記録装置１０の状態を表し、図５（ｈ）は、再圧縮処理の終了後の番組再生装置２０の状態を表す。
【００９５】
これらの図に示すように、番組記録装置１０および番組再生装置２０には、再圧縮された番組のデータＡ′と、圧縮された番組のデータＢとが保存されている。また、番組記録装置１０には、番組再生装置２０へ転送前の番組のデータＣが保存されている。
【００９６】
図５（ｉ）は、番組のデータの転送時の番組記録装置１０の状態を表し、図５（ｊ）は、番組のデータの転送時の番組再生装置２０の状態を表す。
【００９７】
これらの図に示すように、番組記録装置１０は番組再生装置２０へ圧縮された番組のデータＣを転送する。番組再生装置２０は、番組のデータＣを受信し、保存する。
【００９８】
（再圧縮および新たな番組のデータの転送処理）
図６は、第３の実施形態に係る番組記録再生システムによる再圧縮および新たな番組のデータの転送処理の動作手順を表わすフローチャートである。
【００９９】
図６を参照して、番組記録装置１０のチューナ１２は、予約スケジュールにしたがって予約した番組のデータを受信する。番組記録装置１０のエンコーダ１３は、受信した番組のデータを圧縮率α0で圧縮する。番組記録装置１０の記録制御部１４は、圧縮率α0で圧縮された番組のデータを本体記憶部１６に保存させる（ステップＳ３０１）。
【０１００】
番組記録装置１０の圧縮制御部１１は、夜間の所定時刻、たとえば午前２時になると、前日に記録し、次に転送する番組群ＰＧの記録時間の総計を算出する。番組記録装置１０の圧縮制御部１１は、圧縮率α0と記録時間の総計分の非圧縮時のデータ量とを乗算して、番組群ＰＧのデータサイズＰＳを算出する（ステップＳ３０２）。
【０１０１】
番組記録装置１０の圧縮制御部１１は、番組再生装置２０の端末記憶部２６の現在の空き容量ＥＳ０が、番組群ＰＧのデータサイズＰＳ以上のときには（ステップＳ３０３でＮＯ）、再圧縮を行なわない。
【０１０２】
番組記録装置１０の圧縮制御部１１は、番組再生装置２０の端末記憶部２６の現在の空き容量ＥＳ０が、番組群ＰＧのデータサイズＰＳ未満のときには（ステップＳ３０３でＹＥＳ）、以下のステップＳ３０４〜Ｓ３１５によって再圧縮を行なわせる。
【０１０３】
番組記録装置１０の転送部１５は、番組群ＰＧのデータサイズＰＳとともに再圧縮要求を番組再生装置２０に送信する（ステップＳ３０４）。
【０１０４】
番組再生装置２０の転送部２５は、番組群ＰＧのデータサイズとともに再圧縮要求を受信する。番組再生装置２０の圧縮制御部２１は、圧縮率制御変数ｎを１とする（ステップＳ３０５）。
【０１０５】
番組再生装置２０の圧縮制御部２１は、端末記憶部２６にデータが保存されている番組のうち、すべての番組に圧縮率αnが指定されているかどうかを調べる（ステップＳ３０６）。
【０１０６】
番組再生装置２０の圧縮制御部２１は、すべての番組に圧縮率αnが指定されているときには（ステップＳ３０６でＮＯ）、圧縮制御変数ｎを１だけインクリメントして（ステップＳ３０７）、ステップＳ３０５に戻る。
【０１０７】
番組再生装置２０の圧縮制御部２１は、圧縮率αnが指定されていない番組があるときには（ステップＳ３０６でＹＥＳ）、それらの番組の中から１個の番組を選択して、その番組に新たな圧縮率αnを指定する。選択に際しては、それらの番組の中に視聴済みの番組があればそれを選択し、視聴済みの番組がなければ未視聴の番組を選択する（ステップＳ３０８）。
【０１０８】
番組再生装置２０の圧縮制御部２１は、再圧縮した場合、すなわち新たな圧縮率が指定された各番組のデータをそれに指定された圧縮率で再圧縮し、再圧縮された番組のデータを圧縮率α0で圧縮されて端末記憶部２６に保存されている再圧縮前の番組のデータと置換えた場合の端末記憶部２６の空き容量ＥＳ１を算出する。つまり、空き容量ＥＳ１は、｛ＥＳ０＋新たな圧縮率が指定されたすべての番組の記録時間分の非圧縮時のデータ量×α0−Σ新たな圧縮率が指定された各番組の記録時間分の非圧縮時のデータ量×当該番組に指定された新たな圧縮率｝で算出される。ここで、番組に指定された新たな圧縮率とは、α1、α2、・・・、αnのいずれかである（ステップＳ３０９）。
【０１０９】
番組再生装置２０の圧縮制御部２１は、再圧縮した場合の端末記憶部２６の空き容量ＥＳ１が番組群ＰＧのデータサイズＰＳ未満のときには（ステップＳ３１０でＮＯ）、ステップＳ３０６に戻る。
【０１１０】
番組再生装置２０の圧縮制御部２１は、再圧縮した場合の端末記憶部２６の空き容量ＥＳ１が番組群ＰＧのデータサイズＰＳ以上のときには（ステップＳ３１０でＹＥＳ）、転送部２５に再圧縮する１個以上の番組と各再圧縮する番組の新たな圧縮率を番組記録装置１０に通知させる（ステップＳ３１１）。
【０１１１】
次に、番組記録装置１０の転送部１５は、再圧縮する１個以上の番組と各再圧縮する番組の新たな圧縮率の通知を受ける。番組記録装置１０の記録制御部１４は、再圧縮する番組のデータを本体記憶部１６から削除する（ステップＳ３１２）。
【０１１２】
次に、番組再生装置２０のデコーダ２４は、再圧縮する１個以上の番組のデータを端末記憶部２６から読出して解凍する。番組再生装置２０の転送部２５は、解凍された１個以上の番組のデータを番組記録装置１０に転送する（ステップＳ３１３）。
【０１１３】
番組再生装置２０の記録制御部２３は、再圧縮する１個以上の番組のデータを端末記憶部２６から削除する（ステップＳ３１４）。
【０１１４】
番組記録装置１０の転送部１５は、解凍された１個以上の番組のデータを受信する。番組記録装置１０のエンコーダ１３は、ステップＳ３１１で受信した各番組に指定されている圧縮率で各番組のデータを再圧縮する。番組記録装置１０の記録制御部１４は、再圧縮された番組のデータを本体記憶部１６に保存する。番組記録装置１０の転送部１５は、再圧縮された番組のデータを番組再生装置２０に送信する（ステップＳ３１５）。
【０１１５】
番組再生装置２０の転送部２５は、再圧縮された番組のデータを受信する。番組再生装置２０の記録制御部２３は、再圧縮された番組のデータを端末記憶部２６に保存する（ステップＳ３１６）。
【０１１６】
番組記録装置１０の転送部１５は、夜間の所定時刻、たとえば午前３時になると、圧縮率α0で圧縮された番組群ＰＧの番組のデータを番組再生装置２０に送信する（ステップＳ３１７）。
【０１１７】
番組再生装置２０の転送部２５は、圧縮率α0で圧縮された番組群ＰＧの番組のデータを受信する。番組再生装置２０の記録制御部２３は、圧縮率α0で圧縮された番組群ＰＧの番組のデータ端末記憶部２６に保存する（ステップＳ３１８）。
【０１１８】
以上のように、第３の実施形態に係る番組記録再生システムによれば、番組記録装置１０がデコード機能を有せず、番組再生装置２０がエンコード機能を有しない場合であっても、番組のデータの再圧縮を行い、番組記録装置１０から次回転送される圧縮された番組のデータを保存するための空き容量を確保できる。
【０１１９】
［第４の実施形態］
第４の実施形態は、番組のデータの削除などによって番組再生装置の空き容量が増加した場合に、高い圧縮率で再圧縮した番組のデータを、もとの低い圧縮率で圧縮した番組のデータに置換える機能を有する番組記録再生システムに関する。
【０１２０】
（番組記録再生システムの構成）
第４の実施形態に係る番組記録再生システムの構成要素のうち、第３の実施形態に係る番組記録再生システムと相違する点について説明する。
【０１２１】
番組再生装置２０の圧縮制御部２１は、再圧縮した場合の端末記憶部２６の空き容量ＥＳ１が番組群ＰＧのデータサイズＰＳ以上のときには、転送部２５に再圧縮する１個以上の番組と各再圧縮する番組の新たな圧縮率を番組記録装置１０に通知せず、番組記録装置１０の転送部１５は、再圧縮する１個以上の番組と各再圧縮する番組の新たな圧縮率の通知を受けず、番組記録装置１０の記録制御部１４は、再圧縮する番組のデータを本体記憶部１６から削除しない。
【０１２２】
番組再生装置２０の操作入力部２２は、ユーザから端末記憶部２６にデータが記憶されている番組のうち削除する１個以上の番組の指定を受付ける。
【０１２３】
番組再生装置２０の記録制御部２３は、端末記憶部２６からユーザから指定された番組のデータを削除する。番組再生装置２０の記録制御部２３は、圧縮率をα0に変更するように指定された番組のデータを端末記憶部２６から削除する。番組再生装置２０の記録制御部２３は、受信した圧縮率α0で圧縮された番組のデータを端末記憶部２６に保存する。
【０１２４】
番組再生装置２０の圧縮制御部２１は、端末記憶部２６内の空き容量に基づいて、端末記憶部２６内の圧縮率α0以外の圧縮率で圧縮された番組のデータのうち、圧縮率をα0にもどす番組のデータを少なくとも１つ選択する。
【０１２５】
番組再生装置２０の通信部は、選択した番組のデータを番組記録装置１０に通知する。また、番組再生装置２０の通信部は、圧縮率α0で圧縮された番組のデータを番組記録装置１０から受信する。
【０１２６】
番組記録装置１０の通信部は、圧縮率をα0にもどす番組のデータの選択指示を番組再生装置２０から受信し、選択指示された番組のデータ圧縮率α0で圧縮された番組のデータを本体記憶部１６から読出して番組再生装置２０に転送する。
【０１２７】
（再圧縮処理の概要）
図７は、第４の実施形態の再圧縮処理の概要を表す図である。
【０１２８】
図７（ａ）は、再圧縮する番組のデータの通知時の番組記録装置１０の状態を表し、図７（ｂ）は、再圧縮する番組のデータの通知時の番組再生装置２０の状態を表す。
【０１２９】
これらの図に示すように、番組記録装置１０および番組再生装置２０には、圧縮率α0で圧縮された番組のデータＡと圧縮率α0で圧縮された番組のデータＢとが保存されている。また、番組記録装置１０には、圧縮率α0で圧縮された番組のデータＣが保存されているが、これは、まだ番組再生装置２０へは転送されていない。
【０１３０】
番組再生装置２０は、圧縮された番組のデータＡの再圧縮と新たな圧縮率α1を番組記録装置１０に通知する。番組記録装置１０は、第３の実施形態と異なり、この通知を受けても、圧縮された番組のデータＡを削除しない。
【０１３１】
図７（ｃ）は、番組のデータの解凍および再圧縮時の番組記録装置１０の状態を表し、図７（ｄ）は、番組のデータの解凍および再圧縮時の番組再生装置２０の状態を表す。
【０１３２】
これらの図に示すように、番組再生装置２０は、圧縮された番組のデータＡをデコードし、解凍されたデータを番組記録装置１０に転送する。番組再生装置２０は、圧縮された番組のデータＡを削除する。番組記録装置１０は、解凍されたデータを受信し、このデータを圧縮率α1で再圧縮し、再圧縮された番組のデータＡ′を保存するとともに番組記録装置１０に転送する。番組記録装置１０は、再圧縮された番組のデータＡ′を受信し、保存する。
【０１３３】
図７（ｅ）は、再圧縮処理の終了後の番組記録装置１０の状態を表し、図７（ｆ）は、再圧縮処理の終了後の番組再生装置２０の状態を表す。
【０１３４】
これらの図に示すように、番組記録装置１０には、圧縮された番組のデータＡと、圧縮された番組のデータＢと、番組再生装置２０へ転送前の番組のデータＣと、再圧縮された番組のデータＡ′とが保存されている。番組再生装置２０には、再圧縮された番組のデータＡ′と、圧縮された番組のデータＢとが保存されている。
【０１３５】
図７（ｇ）は、番組のデータの転送時の番組記録装置１０の状態を表し、図７（ｈ）は、番組のデータの転送時の番組再生装置２０の状態を表す。
【０１３６】
これらの図に示すように、番組記録装置１０は番組再生装置２０へ圧縮された番組のデータＣを転送する。番組再生装置２０は、番組のデータＣを受信し、保存する。
【０１３７】
図７（ｉ）は、ユーザによる番組のデータの削除時の番組記録装置１０の状態を表し、図７（ｊ）は、ユーザによる番組のデータの削除時の番組再生装置２０の状態を表す。
【０１３８】
これらの図に示すように、番組再生装置２０では、圧縮された番組のデータＣが削除される。
【０１３９】
図７（ｋ）は、番組のデータの転送時の番組記録装置１０の状態を表し、図７（ｌ）は、番組のデータの転送時の番組再生装置２０の状態を表す。
【０１４０】
これらの図に示すように、番組再生装置２０内の記憶部に空き容量が増加したため、圧縮率の高い番組のデータＡ′に代えて、圧縮率の低い番組のデータＡを保存することができるようになったため、番組記録装置１０は、圧縮率の低い番組のデータＡを転送する。番組再生装置２０は、圧縮率の低い番組のデータＡを受信し、圧縮率の高い番組のデータＡ′を削除し、圧縮率の低い番組のデータＡを保存する。
【０１４１】
（再圧縮および新たな番組のデータの転送処理）
図８は、第４の実施形態に係る番組記録再生システムによる再圧縮および新たな番組のデータの転送処理の動作手順を表わすフローチャートである。
【０１４２】
図８を参照して、図８の動作手順が図６に示す第３の実施形態の動作手順と相違する点は、ステップＳ３１１とＳ３１２とを備えずに、ステップＳ３１０でＹＥＳのときには、ステップＳ３１３を実行することである。
【０１４３】
すなわち、番組再生装置２０の圧縮制御部２１は、再圧縮した場合の端末記憶部２６の空き容量ＥＳ１が番組群ＰＧのデータサイズＰＳ以上のときには（ステップＳ３１０でＹＥＳ）、転送部２５に再圧縮する１個以上の番組と各再圧縮する番組の新たな圧縮率を番組記録装置１０に通知しない。
【０１４４】
そして、番組記録装置１０の転送部１５は、再圧縮する１個以上の番組と各再圧縮する番組の新たな圧縮率の通知を受けず、番組記録装置１０の記録制御部１４は、再圧縮する番組のデータを本体記憶部１６から削除しない。
【０１４５】
ステップＳ３１０でＹＥＳのときには、番組再生装置２０のデコーダ２４は、再圧縮する１個以上の番組のデータを端末記憶部２６から読出して解凍する。番組再生装置２０の転送部２５は、解凍された１個以上の番組のデータを番組記録装置１０に転送する（ステップＳ３１４）。
【０１４６】
（原圧縮データ復元処理）
図９は、第４の実施形態に係る番組記録再生システムによる原圧縮データ復元処理の動作手順を表わすフローチャートである。
【０１４７】
図９を参照して、番組再生装置２０の操作入力部２２は、ユーザから端末記憶部２６にデータが記憶されている番組のうち削除する１個以上の番組の指定を受付ける（ステップＳ４０１）。
【０１４８】
番組再生装置２０の記録制御部２３は、端末記憶部２６から指定された番組のデータを削除する（ステップＳ４０２）。
【０１４９】
番組再生装置２０の圧縮制御部２１は、番組のデータの削除後の端末記憶部２６の現在の空き容量ＥＳ０を取得する（ステップＳ４０３）。
【０１５０】
番組再生装置２０の圧縮制御部２１は、端末記憶部２６に圧縮率がα0以外で圧縮されて記録されている番組のうち、圧縮率をα0に変更するように指定されていない番組があるか否かを調べる（ステップＳ４０４）。
【０１５１】
番組再生装置２０の圧縮制御部２１は、圧縮率をα0に変更することを指定されていない番組があるときには（ステップＳ４０４でＹＥＳ）、それらの番組の中から１個の番組を選択する。選択に際しては、それらの番組の中に未視聴の番組の番組があればそれを選択し、未視聴の番組の番組がなければ視聴済みの番組を選択する（ステップＳ４０５）。
【０１５２】
番組再生装置２０の圧縮制御部２１は、圧縮率をα0に変更することを指定された番組および今回選択した番組の圧縮率をα0に変更させた場合の端末記憶部２６の空き容量ＥＳ１を算出する。
【０１５３】
空き容量ＥＳ１は、｛ＥＳ０−Σ圧縮率をα0に変更することを指定された各番組の記録時間分の非圧縮時のデータ量×（α0−当該番組の現在の圧縮率）−選択された番組の記録時間分の非圧縮時のデータ量×（α0−当該番組の現在の圧縮率｝で算出される。ここで、番組のデータの現在の圧縮率とは、α1、α２、・・・、αNのいずれかである（ステップＳ４０６）。
【０１５４】
番組再生装置２０の圧縮制御部２１は、空き容量ＥＳ１が０以上のときには（ステップＳ４０７でＹＥＳ）、選択した番組の圧縮率をα0に変更するように指定する（ステップＳ４０８）。
【０１５５】
番組再生装置２０の圧縮制御部２１は、空き容量ＥＳ１が０を超えているときには（ステップＳ４０９でＮＯ）、ステップＳ４０４に戻る。
【０１５６】
番組再生装置２０の圧縮制御部２１は、空き容量ＥＳ１が０未満のとき（ステップＳ４０７でＮＯ）、および空き容量ＥＳ１が０のとき（ステップＳ４０９でＹＥＳ）、圧縮率の変更の指定を終了する。
【０１５７】
次に、番組再生装置２０の転送部２５は、圧縮率をα0に変更するように指定された番組を番組記録装置１０に通知する（ステップＳ４１０）。
【０１５８】
番組再生装置２０の記録制御部２３は、圧縮率をα0に変更するように指定された番組のデータを端末記憶部２６から削除する（ステップＳ４１１）。
【０１５９】
番組記録装置１０の転送部１５は、通知を受けた番組のデータのうち、圧縮率α0で圧縮されている方のデータを本体記憶部１６から読出して、そのデータを番組再生装置２０に配信する（ステップＳ４１２）。
【０１６０】
番組再生装置２０の転送部２５は、圧縮率α0で圧縮された番組のデータを受信する。番組再生装置２０の記録制御部２３は、圧縮率α0で圧縮された番組のデータ端末記憶部２６に保存する（ステップＳ４１３）。
【０１６１】
以上のように、第４の実施形態に係る番組記録再生システムによれば、第３の実施形態と同様に、番組記録装置１０がデコード機能を有せず、番組再生装置２０がエンコード機能を有しない場合であっても、番組のデータの再圧縮を行い、番組記録装置１０から次回転送される圧縮された番組のデータを保存するための空き容量を確保できる。また、番組記録装置１０は、番組のデータを高い圧縮率で再圧縮した場合に、もとの低い圧縮率で圧縮した番組のデータを削除せず残しておくので、番組再生装置２０に空き容量が増加したときに、再圧縮された高い圧縮率の低品質の番組のデータを低い圧縮率の高品質の番組のデータに置換えることができる。
【０１６２】
（変形例）
本発明は、上記の実施形態に限定されるものではなく、たとえば以下のような変形例も含む。
【０１６３】
（１）  再圧縮の圧縮率の通知
本発明の実施形態では、番組再生装置から番組記録装置へ、番組のデータを再圧縮するときの圧縮率を通知するものとしたが、これに限定するものではない。番組記録装置で、予め決められた圧縮率で番組のデータを再圧縮するものとしてもよい。
【０１６４】
（２）  再圧縮のタイミング
本発明の実施形態では、番組の記録後、記録した番組のデータである次に転送する番組のデータを番組再生装置へ転送する前に、番組再生装置に記憶されている番組のデータの再圧縮を行なったが、これに限定するものではない。番組記録装置の本体記憶部の容量が大きくない場合には、番組の記録前に、番組再生装置に記憶されている番組のデータの再圧縮を行なうものとしてもよい。
【０１６５】
（３）  優先番組
本発明の実施形態では、再圧縮する番組として視聴済みの番組を優先し、端末記憶部の空き容量が増加したときにもとの圧縮率α0にもどす番組として未視聴の番組を優先したが、これに限定するものではない。たとえば、ユーザが指定した番組を優先してもよいし、ユーザが選択したジャンルに属する番組を優先してもよい。また、端末記憶部の空き容量が増加したときにもとの圧縮率α0にもどす番組としては、圧縮率が高い番組のデータから順に選択するものとしてもよい。
【０１６６】
（４）  再圧縮する番組の選択方法
本発明の第２〜第４の実施形態では、空き容量を確保するために必要最低限の番組のデータを再圧縮したが、これに限定するものではない。たとえば、すべての視聴済みの番組のデータを圧縮率α1で再圧縮したときの空き容量を算出する。空き容量が不十分なら、すべての視聴済みの番組のデータを圧縮率α1で再圧縮し、かつすべての未視聴の番組のデータを圧縮率α1で再圧縮したときの空き容量を算出する。これでも空き容量が不十分なら、すべての視聴済みの番組のデータを圧縮率α2で再圧縮し、かつすべての未視聴の番組のデータを圧縮率α1で再圧縮したときの空き容量を算出する。これでも空き容量が不十分なら、すべての視聴済みの番組のデータを圧縮率α2で再圧縮し、かつすべての未視聴の番組のデータを圧縮率α2で再圧縮したときの空き容量を算出する。以下、必要な空き容量が確保できるまで、圧縮率を上げていく。
【０１６７】
（５）  番組のデータについて
本発明の実施形態では、放送局から映像および音声からなる番組のデータを受信して、映像および音声からなる番組のデータをＭＰＥＧ形式で圧縮したが、これに限定するものではない。たとえば、放送局から音声のみからなる番組のデータ（楽曲データ）を受信して、音声のみからなる番組のデータをＭＰ３（MPEG Audio Layer-3）形式で圧縮するものとしてもよい。
【０１６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６９】
【図１】番組記録再生システムの構成を示す図である。
【図２】第１の実施形態の再圧縮処理の概要を表す図である。
【図３】第１の実施形態に係る番組記録再生システムによる再圧縮処理の動作手順を表わすフローチャートである。
【図４】第２の実施形態に係る番組記録再生システムによる再圧縮処理の動作手順を表わすフローチャートである。
【図５】第３の実施形態の再圧縮処理の概要を表す図である。
【図６】第３の実施形態に係る番組記録再生システムによる再圧縮および新たな番組のデータの転送処理の動作手順を表わすフローチャートである。
【図７】第４の実施形態の再圧縮処理の概要を表す図である。
【図８】第４の実施形態に係る番組記録再生システムによる再圧縮および新たな番組のデータの転送処理の動作手順を表わすフローチャートである。
【図９】第４の実施形態に係る番組記録再生システムによる原圧縮データ復元処理の動作手順を表わすフローチャートである。
【符号の説明】
【０１７０】
１０  番組記録装置、１１，２１  圧縮制御部、１２  チューナ、１３  エンコーダ、１４，２３  記録制御部、１５，２５  転送部、１６  本体記憶部、２０  番組再生装置、２２  操作入力部、２４  デコーダ、２６  端末記憶部。
【図１】
2006101093.tif 000003
【図２】
2006101093.tif 000004
【図３】
2006101093.tif 000005
【図４】
2006101093.tif 000006
【図５】
2006101093.tif 000007
【図６】
2006101093.tif 000008
【図７】
2006101093.tif 000009
【図８】
2006101093.tif 000010
【図９】
2006101093.tif 000011